(57)【特許請求の範囲】
【請求項１】
可撓性を有し、且つ、全域にわたって画鋲の貫通が可能である基材が磁石体を備えることを特徴とする画鋲補助具。
【請求項２】
前記磁石体が前記基材の端部に備えられたことを特徴とする請求項1記載の画鋲補助具。
【請求項３】
前記磁石体が、前記基材の一方面に備えられたことを特徴とする請求項１又は２記載の画鋲補助具。
【請求項４】
前記基材が、透明性を持つことを特徴とする請求項１〜３のいずれか１項記載の画鋲補助具。
【請求項５】
前記基材にスリット部分を設けたことを特徴とする請求項１〜４のいずれか１項記載の画鋲補助具。
【請求項６】
前記基材の少なくとも一方面に挟持機能部又は貼り付け機能部を備えたことを特徴とする請求項１〜５のいずれか１項記載の画鋲補助具。
【請求項７】
前記基材が、特別機能体を備え持つ事を特徴とする請求項１〜６のいずれか１項記載の
画鋲補助具。
【発明の詳細な説明】
【技術分野】
【０００１】
掲示物固定具の最も代表的なものは、画鋲である。以下において画鋲と表記されるものは針体と押圧部（頭部）を備え、磁石又は磁石に吸着される性質を持つものの総称を定義する。本発明は、掲示物を傷めずに、当該掲示物を掲示板に固定することができる画鋲補助具に関するものである。
【背景技術】
【０００２】
掲示物を掲示する主な方法は三通りある。ひとつは画鋲単体で掲示物に穴を貫通させてから掲示板等に固定する方法であり、幼稚園や学校等で児童が書いた絵画画用紙を掲示板に固定する場合は、ほとんどがこの方法により行われている。二番目の方法は、マグネットボードと磁石体を使用する方法であり、三番目の方法は、セロテープ（登録商標）を用いる方法である。
【先行技術文献】
【特許文献】
【０００３】
【特許文献１】特許公開２００６−１２６２号
【発明の概要】
【発明が解決しようとする課題】
【０００４】
従来の掲示物を掲示板等に掲示する場合において、画鋲単体を使用する方法は、掲示物を傷めることとなり、大切な掲示物には使用できない。マグネットボードと磁石体を使用する方法では、掲示した後に、磁石体が床に落ちやすく紛失が多発する。またセロテープ（登録商標）も、大切な掲示物には使用できないという問題がある。
【０００５】
そこで、本願発明は画鋲を使って、大切な掲示物を傷めることなく、掲示板に固定することができる画鋲補助具を提供することを第一の課題とする。
【０００６】
又、製造することが簡単で単純な構造により製造コストが安価であるという事を第二の課題とする。                                  
【０００７】
更に、掲示した掲示物が、掲示器具により美観を損ねない事を第三の課題とする。
【課題を解決するための手段】
【０００８】
まず可撓性を有し、且つ、画鋲の貫通が可能である基材が磁石体を備えることを特徴とする画鋲補助具を作成する。
【０００９】
そして、前記磁石体が前記基材の端部に備えられたことを特徴とする画鋲補助具を作成する。
【００１０】
又、前記磁石体が、前記基材の一方面に備えられたことを特徴とする画鋲補助具を作成する。
【００１１】
さらに前記基材が、透明性を持つことを特徴とする画鋲補助具を作成する。
【００１２】
加えて、前記基材にスリット部分を設けたことを特徴とする画鋲補助具を作成する。
【００１３】
そして、上前記基材の少なくとも一方面に挟持機能部又は貼り付け機能部を備えたことを特徴とする画鋲補助具を作成する。
【００１４】
さらに、前記基材が、特別機能体を備え持つ事を特徴とする画鋲補助具を作成する。
【発明の効果】
【００１５】
まず、可撓性を有し、且つ、画鋲の貫通が可能である基材が磁石体を備えることを特徴とする画鋲補助具を作成する。その際、磁石体の位置として、前記磁石体が前記基材の端部に備えられたことを特徴とする画鋲補助具や前記磁石体が前記基材の一方面に備えられたことを特徴とする画鋲補助具を作成する。その効果を以下に述べる。
【００１６】
従来、画鋲単体で掲示物を固定する場合は、掲示物に穴を開けることで傷めてしまうという欠点があり、また磁石体で掲示物を固定する場合は、磁石体が床に落ち紛失が多発するという欠点があった。本願発明に係る画鋲補助具は、上記構成により、掲示物を傷めることなく、また、磁石体を紛失することが防止される。
【００１７】
使用する際の一例を示すが、長方形状で膜厚が薄い可撓性がある基材の末端部分付近に画鋲を刺し込み（貫通させる）、末端部分の反対側にあたる前記基材の先端部分の端部又は、前記基材の先端部分付近の一方面に磁石体を備えた場合、末端部分に刺し込んだ画鋲を掲示板に刺し込んで掲示板に前記基材を固定した状態で、前記基材を二つ折りに折り返すことで、前記基材の先端部分に備えられた磁石体は、末端部分の画鋲の頭部に貼り付き固定する。
【００１８】
これにより、二つ折りに折り返された基材の末端部分と先端部分が貼り付け固定される。この状態においては、二つ折りに折り返された部分に空間が出来る。この空間の間に掲示物等を挟み込んで、掲示板に固定することが出来る。
【００１９】
更に、前記基材が、透明性を持つことを特徴とする画鋲補助具を作成する。その効果を以下に述べる。
【００２０】
すでに掲示板に画鋲の穴があけられていた場合は、前記基材が、透明性を持つ機能を備えた場合、刺し込む際に前記穴の位置が視認され、前記穴に画鋲の針部を正確に刺し込むことが可能になる。
【００２１】
これにより、掲示物を貼り替える場合の刺し込み作業において、従来は複数の穴が開くが、前記穴の傷跡（穴跡）しか掲示板に残さない事が容易となる。掲示物を外した場合、家庭や事務所の壁等に画鋲の跡が複数みられるような状態が見受けられるが、透明性を持つ機能を備えた本願発明画鋲補助具を使用した場合は、このような掲示される壁面等が美観を損なう傷跡（穴跡）を残さない効果がある。
【００２２】
更に、掲示物を保持している時は、外観において、前記基材が透明性を備えることで掲示物の邪魔になりにくい。また掲示物を保持していない時でも、目立たない為、外観を損ねない。
【００２３】
加えて、前記基材にスリット部分を設けたことを特徴とする画鋲補助具を作成する。この効果を以下に述べる。
【００２４】
前記基材にスリットの穴を備えさせることで、画鋲を前記基材のスリットの穴に刺し込むことで、前記基材の位置調整が出来る。
【００２５】
使用する際の一例を示すが、長方形状で膜厚が薄い可撓性がある基材の下方の半分にスリットの長方形の穴を備えさせる。又、００１７項同様に先端部分の端部又は、前記基材の先端部分付近の一方面に磁石体を備えさせる。
【００２６】
前記スリットの穴に画鋲を刺し込んだ場合は、基材を上下に引っ張る事で、前記基材の先端部分に備える磁石体と前記画鋲の間隔の長短の調整が可能になる。
これにより、掲示物の厚みや大きさにあわせて前記基材の先端付近の磁石体と画鋲の間の空間の調整が可能となる。掲示物が小さい場合にあまり前面に基材の先端付近が露出すると前記掲示物の美観が損なわれるが、前記スリットの穴を備える効果により、基材の先端部分（掲示物に覆いかぶさる部分）の露出が最小限に抑えられるので美観が保たれる効果がある。
【００２７】
そして、前記基材の少なくとも一方面に挟持機能部を備えさせたことを特徴とする画鋲補助具を作成する。その効果を以下に述べる。
【００２８】
一例として、前記磁石体が、前記基材の先端付近の一方面に磁石体を備えた本願発明器具の形態において、基材の反対側（磁石体の裏側）に挟持機能部を備えさせて、前記基材の末端付近に画鋲の針部を貫通させて、この針部を掲示板に刺し込んで前記基材を掲示板に固定させた場合について述べる。
【００２９】
この場合において、前記画鋲頭部が前記磁石体と同一方面になるように画鋲を掲示板に刺し込んで、前記基材を二つ折りにした場合、００１８項で述べたように掲示物を挟み込める空間が出来る。
【００３０】
この場合、前記基材の磁石体の反対側の一方面（裏側）が露出する。この露出する一方面に前記挟持機能部、又は貼り付け機能部を備えさせることで、別のアクセントを設けることが出来る。前記基材の露出部分に、名前のプレート、キャラクター、図柄等を、挟み込み又は貼り付け手段で、備えつけることで、美感が損なわれるどころか、アクセント効果で美観をかもしだすことが出来る。
【００３１】
又、前記基材が特別機能体を持つ本願発明器具を備え付ける効果については、特別機能体の定義も含めて、実施例６から実施例９で説明する。
【図面の簡単な説明】
【００３２】
【図１】可撓性を有し、且つ、画鋲の貫通が可能である基材２が磁石体３を端部に備えた本願発明器具１の正面図である。
【図２】基材の一方面に磁石体が備えられた形態の本願発明器具１の正面図である。
【図３】本願発明器具１に画鋲を貫通させた際の側面図である。
【図４】本願発明器具１の基材２に画鋲針体６を貫通させてから、掲示板７に刺し込んで、二つ折りにし、掲示物８を挟持固定させた状態の側面図である。
【図５】本願発明器具１を掲示物８の４隅に４個使用した状態を示す正面図である。図４で示す手段で、画鋲針体６を用いて、本願発明器具１を掲示板７に刺し込み固定した後に、本願発明器具１を二つ折りにした場合に実現する空間アを持つ本願発明１a、１ｂ、１ｃ、１ｄの空間アａ、アｂ、アｃ、アｄに掲示物８を挟み込んで固定した正面図である。
【図６】実施例１として、折り返し部分４ａ、４ｂを備えた本願発明器具１の正面図である。
【図７】実施例２として、画鋲を２個刺し込んで使用する場合の本願発明器具１の側面図である。
【図８】実施例３として、画鋲を２個刺し込んで使用する場合の本願発明器具１の側面図である。
【図９】実施例４として、画鋲を２個刺し込んで使用する場合の本願発明器具１の側面図である。
【図１０】実施例５として、基材２にスリット部分９を備えた本願発明器具１の正面図である。
【図１１】図１０で示す本願発明器具１を使用した状態を示す斜視図である。
【図１２】実施例６として、基材２にＣ字状スリット１１を備えた本願発明器具１の正面図である。
【図１３】基材２にＣ字状スリット１１を備えた本願発明器具１のスリットに、名前の書かれたプラスチックプレート又は紙片１４を挟持固定させた状態の正面図である。
【図１４】実施例７として、基材の磁石体の反対側の一方面に挟持機能部を備える一例としてクリップを備え、名前の書かれたプラスチックプレート又は紙片１４を挟持している状態を示す正面図である。
【図１５】実施例８として、基材の磁石体の反対側の一方面に貼り付け機能部を備える一例として、吸盤１２を備え、文字の書かれたプラスチックプレート又は紙片１４を貼り付けている状態の図である。
【図１６】貼り付け機能部を備える一例として、両面テープ保持プレート１３を備えた正面図である。
【図１７】図１６の前記保持プレート１３に両面テープを貼り、マスコット１５の写真を貼り付けた状態の正面図である。
【図１８】実施例９として、立体的なマスコット１５を取り付けた本願発明器具１の正面図である。
【図１９】基材２に弾性体（ゴム管、ビニール管等）を持つ筒体１８を備えた本願発明器具１及び、立体的なマスコット１５の側面図である。
【図２０】ユニバーサルジョイントを形成することが出来る突起物を備えた、本願発明器具１及び、立体的なマスコット１５の側面図である。
【図２１】図２１は、磁石体３に、軸１６を刺し込む手段で基材２に磁石体３を固定させた形態の本願発明器具１の側面図である。
【発明を実施するための形態】
【００３３】
以下、本願発明画鋲補助具を本願発明器具１と表記して、その実施の形態を示す図面に基づいて説明する。
【００３４】
図１は、可撓性を有し、且つ、画鋲の針部６の貫通が可能である基材２が磁石体３を備えた本願発明器具１の正面図である。この形態の本願発明器具１は前記基材の端部に磁石体３を備えている。使用方法は図３で示すように画鋲を貫通させて使用する。
【００３５】
図２では、前記磁石体３が、前記基材２の一方面に備えられたことを特徴とする形態の本願発明器具１を示す。図２は、本願発明器具１の正面図であり、可撓性を有する基材２とその一方面の端部分付近に磁石体３を備えたものである。以下においてはこの形態の本願発明器具１を用いて説明を行う。この様に本願発明１は安価な材料を用いてシンプルな構造により、製造コストが安価に抑えられるという利点がある。
【００３６】
基材２は、可撓性を有した素材（主にポリプロピレンやビニール等）を材質とし、画鋲針部を貫通させることが出来なければなければならない。尚、図２においては縦長長方形の板状であるが、横長であっても、また長方形でなく正方形や楕円形であっても構わないし、また、板状でなくとも棒状でも構わない。さらに、基材２を透過性のあるものにすることで、外観を損ねないといった効果がある。
【００３７】
磁石体３は円柱形でも角柱形でも、あるいはどのような形であっても、磁性があり、画鋲頭部５と磁性によって吸着する面が平面であれば構わない。磁石の種類としては、小さくても強力なネオジム磁石が最適である。また磁石体３の数は、単数でも複数でも構わない。磁石体３の貼付位置は、基材２の外部でも内部でも、一方面でも両方面でも構わない。
【００３８】
図３においては、本願発明器具１の基材２に、画鋲を刺し入れた状態の側面図を描いている。基材２の先端付近に備えた磁石体３に対して、基材２の末端付近に画鋲針部６を貫通させたものである。尚、この画鋲頭部５は、金属製に限らず、磁性を持っておれば、何でも（例として磁石、ニッケル、コバルト、鉄、遷移金属を含む化合物）構わない。
【００３９】
図４は、本願発明器具１を使って、掲示板７に掲示物８を掲示固定している状態の側面図である。
【００４０】
図３における状態で画鋲の針部６を掲示板７に画鋲頭部５を押圧して刺し込んだ後、基材２の中央を内側に二つ折りにする。基材２の上部が二つ折り部分により閉鎖され、下部は画鋲頭部５に磁石体３が磁力吸着固定するので、前記基材２の上部内面に空間アを備え、下部内面が閉じられるので、掲示物８を前記空間アに挟んで、画鋲頭部５を磁石体３により磁力吸着固定することで、前記基材の下部内面が閉じられるので、前記掲示物８は前記基材２により挟持固定が可能となる。
【００４１】
図５は、掲示物の四隅を挟持固定する為に、４個の本願発明器具１ａ、１ｂ、１ｃ、１ｄを使用し、画用紙等の掲示物８を掲示板７に固定した状態の正面図である。磁石体３ａ、３ｂ、３ｃ、３ｄは、露出している基材２ａ、２ｂ、２ｃ、２ｄの裏面になるので本来は隠れているが、説明の為に描写している。
【００４２】
図５の本願発明器具１は００４０項で述べたのと同様に空間を備えさせる挟持固定手段を用いるが、このような画用紙等の大きな掲示物８を掲示板７に固定する場合は図５の様に複数の本願発明器具１を用いる。
【実施例１】
【００４３】
図６は、本願発明器具１の基材２に複数（２か所）の折曲部（折り返し部分）４a、４ｂを備えた正面図を描いている。基材２は可撓性を持つために複数の折曲部４ａ、４ｂが無くてもその機能は発揮できるが、複数の折曲部４ａ、４ｂがある事で、折曲げが容易になり、またその際において、かさばらないので外観上、見栄えが良くなる効果がある。尚、折曲部は、単数でも、３か所以上でも構わない。
【００４４】
また、基材２が透明性のある材料である場合、００２０項、００２１項、００２２項で述べたように、画鋲を刺し込む際に穴の位置が視認され、前記穴に画鋲の針部６を正確に刺し込むことが可能になり、壁面等が美観を損なう傷跡（穴跡）を増やさない効果や外観を損ねない効果がある。
【実施例２】
【００４５】
図７は実施例２として、折曲部４ａ、４ｂを備えた基材２に、画鋲を２個貫通させた状態の側面図を示している。折曲部４ａ、４ｂで折り返した場合に、掲示物８の大きさにあわせて、固定する際に、表面に出る基材２の部分を大きくも小さくも調整することが出来る。画鋲は２個ではなく、単数の画鋲を図８で示す５a、５ｂの位置に刺しかえる事で掲示物８を固定する際に、表面に出る基材２の部分を大きくも小さくも調整することが出来ることは言うまでもない。
【実施例３】
【００４６】
図８は実施例３として、画鋲を２個貫通させた基材２に、磁石体３を複数備えた側面図を示している。掲示物８を固定する際の固定強度を増す事が出来る。
【実施例４】
【００４７】
図９は実施例４として、画鋲を２個貫通させた基材２に、長い形状の磁石体３を備えた側面図を示している。掲示物８を固定する際の固定強度を増す事が出来る。
【実施例５】
【００４８】
図１０は実施例５として、基材２に、長方形型のスリット部分９を備えた設けた本願発明器具１の正面図である。使用方法については以下に示す。
【００４９】
図１１は、掲示物８を掲示板７に固定するために、実施例５を使用している状態を示す斜視図である。画鋲針部６を基材２のスリット部分９に通し、掲示板７に刺し込んだ後、掲示物８を画鋲頭部５に被せ、基材２を折り曲げ、磁石体３で掲示物８を保持せんとする直前の状態を示している。
【００５０】
基材２に長方形型のスリット部分９を設けることにより、画鋲針部６を基材２の長方形型のスリット部分９に通して掲示板に刺し込んだ後でも、容易に基材２を移動させることができる。このスリット部分９により、掲示物８の上辺より上部外側に露出する基材２の長さを調整することができる。前記露出を最短にすることで、美観を保つことができるという効果がある。又、位置によって強度が増す。
【００５１】
つまり、小さい掲示物８の場合は、画鋲の位置がスリット部分９の上部になるように基材２の下部を引っ張るか又は、基材２の上部を押し下げる方法によって移動させて、前記掲示物８の上側に露出する基材２の露出部分を短くして、掲示物８の美感を損ねることを防ぐ効果がある。又、大きい掲示物８の場合は画鋲をスリット部分９の下部になるようにすれば、内側になる図４で示す空間アは大きくなり、掲示物８の隙間に挟まれる部分が多くなり、固定強度が高まる。
【００５２】
磁石体３が大きい場合や複数の場合、スリット部分９に複数の画鋲を挿入すれば、固定強度が増す。
【実施例６】
【００５３】
図１２は、実施例６として、基材２にＣ字状スリット１１を備えた状態の正面図である。Ｃ字状スリット１１を入れることで舌片が形成される。これにより、薄膜状の紙片やプラスチックプレートが、挟持固定できるようになる。図１２におけるスリット１１は、Ｃ字状であるが、コの字状等、挟持固定が出来る形態であれば何でも構わない。この場合のＣ字状スリット１１は舌片を形成する為のものであり、実施例５で述べたスリット部分９とは別のものである。
【００５４】
図１３は、Ｃ字状スリット１１を備えた前記基材２のＣ字状スリット１１に、特別機能体である名前の書かれたプラスチックプレート又は紙片１４を挟持している状態の図である。
【００５５】
特別機能体とは、美観を起こさせる外観を有することを特徴とする物品又は文字や記号を記入表示することができる物品、あるいは、その両方の特徴を有する物品であると定義する。美観を起こさせる外観を有することを特徴とする物品の一例が、図１７の特別機能体１５（マスコット）であり、その他の例としては、キャラクター、模様、図柄、写真、絵、シール、飾り物、風車等々である。文字や記号を表示することができる物品の一例が、特別機能体１４（プラスチックプレート又は紙片）である。図１３、図１４においては、一例として名前が記入されている。また図１５においては、金賞と記入されている。記入される内容は、掲示物によって様々なものが考えられるが、その他記入表示されるものの一例としては、二重丸記号、王冠の絵、ニコニコマークの絵文字、さらには、最重要、注目、掲示期間いついつまでといった文章等が考えられる。
【実施例７】
【００５６】
図１４においては、実施例７として、挟持機能部を基材２に備える一例を示している。クリップ１０を備え、特別機能体（プラスチックプレート又は紙片）１４を挟持固定している状態を表している。この様に、基材２の少なくとも一方に挟持機能部を備えさせることで、前記挟持部分に様々なものを挟み込むことが可能となる。
【実施例８】
【００５７】
実施例７では前記基材に挟持機能部を備えさせる例を記載したが、実施例８では前記基材２に貼り付け機能部を備えさせる例について説明する。
【００５８】
実施例８として、図１５は、基材の磁石体３の反対側の一方面に貼り付け機能部を備える一例を示している。吸盤１２を備え、特別機能体（プラスチックプレート又は紙片）１４を貼り付けている状態の図である。
【００５９】
この様に、基材２の一方面に吸盤１２を備える事で、前記基材２に貼り付け機能部を備えさせ、これにより、特別機能体（プラスチックプレート又は紙片）１４を貼り付け固定する事が可能となる。
【００６０】
図１６は、同じく貼り付け機能部を備える一例として、両面テープ保持プレート１３を備えた図である。この部分に両面テープの内側を貼り付け、その外側の粘着層に特別機能体熊のマスコット１５の写真を貼り付けた状態を図１７で示す。
【００６１】
実施例６や実施例７の様に前記基材が挟持機能部を持つ手段で特別機能体１４を固定した場合、図１３や図１４で示すように、特別機能体１４の外観を損ねる可能性がある、又、特別機能体１４が立体の場合においては、挟持機能部では固定することが難しい。このような立体物を固定する場合は、実施例８の図１５や図１６もしくは図１７で示した貼り付け機能部を備える方が好ましい。
【００６２】
最近では、ゆるキャラというキャラクターがブームであるが、本願発明器具１は、このような手段を用いる事で、立体的な特別機能体１５をアクセントに前記基材２に備えさせることが可能である。
【００６３】
磁石体３が基材２の先端付近の一方面に備えられたことを特徴する本願発明器具１において、磁石体３を備える基材２の他方面（反対側）に特別機能体１５を備えさせた場合、００１７項、００１８項で示す手段で基材２を二つ折りに折り返した場合、前記マスコット１５が掲示物８の前面（表面部分）に現れる。
【００６４】
これにより、掲示物８が固定される部分に、特別機能体１５の一例として、例えば熊やリス、りんごや、様々なキャラクターのマスコット等を特別機能体１５として、掲示物８の前面に出る基材２の表面にを実現させることが可能になり、本願発明１は掲示物８の美感を損なうどころか、本願発明器具１自体が新たな外観（美観）をかもしだすことが可能となる。
【実施例９】
【００６５】
実施例９として、図１８において、本願発明器具１の前記基材２が、特別機能体１５（図１８においてはマスコット）を備え持つ事を特徴とする本願発明器具１について説明する。
【００６６】
図１８は、立体的な特別機能体１５を前記基材２に備え、本願発明器具１の折り返し部分を上部にした状態を表示している。
【００６７】
本願発明器具１は、図５の状態を００４１項で説明したように、前記折り返し部分を下にして掲示物８を支える手段を用いる場合があるが、図１８の特別機能体１５の配置では、前記折り返し部分を下にして用いた場合は、前記特別機能体１５は、上下が逆に視認される。
【００６８】
この、特別機能体１５が上下逆になる欠点を解消するためには、前記基材２が特別機能体１５を回転させることが出来る機能を備えさせればよい。つまり、前記特別機能体１５が回転するように作れば、どのような位置でも前記特別機能体１５を真っ直ぐにすることが出来る。
【００６９】
実施例９において、前記基材２が特別機能体１５（図１８の場合はキャラクター）を回転させることが出来る機能について説明する。
【００７０】
回転という概念には、所定の角度でストッパー機能を持つ概念（ギアを組み込んだものが思い浮かぶが）と、風車の様にくるくると回る概念がある。
【００７１】
風車の様にくるくる回る機能は、ベアリングや、ジョイント部分の摩擦係数を少ない構造のものを作成すればよい。又、逆に所定の角度でストッパー機能を持たせるためには、ジョイント部分の摩擦係数を多くすればよい。
【００７２】
この回転機能を備えさせ手段において、基材に筒状の弾性体（ゴム管、ビニール管等の筒体１８）を備えさせた本願発明器具１を図１９で示す。
【００７３】
図１９の右方に描かれている特別機能体１５（図１９ではキャラクター）は裏面に軸１６を備えており、これを前記基材が備え持つ筒状の弾性体１８に挿入することで固定される。この技法で特別機能体１５のストッパー機能を備えた回転が可能となる。筒体１８は弾性でなくても良く、又、単なる筒体１８への刺しこみにした場合においても、前記キャラクター１５は差し替える事で、上下左右に視認される位置を変えることが可能となる。ギアを使う事で回転機能は実現できるがコスト的に高くなる。
【００７４】
図２０は、軸１６の先端に突起物１７を備えたものである。右方に描かれている特別機能体１５（図２０ではキャラクター）の裏面には末端に空洞を備えた軸１６を取り付けている。これを嵌めこむことで（いわゆるユニバーサルジョイント）で、前記特別機能体１５は回転が可能となる。
【００７５】
この場合の回転は、摩擦係数によりストッパー機能を持たせる仕様や、風車の様にくるくると回る仕様にすることが可能である。くるくると回る回転においてはベアリングを使う事で実現できるがコスト的に高くなる。
【実施例１０】
【００７６】
実施例１０として、図２１は、磁石体３に、軸１６を刺し込む手段で基材２に磁石体３を固定させたものである。前記基材２に固定させる場合の手段について、貼り付けによる固定ではない技法について説明する。
【００７７】
図２１は、基材２の先端付近を貫通させた軸１６で磁石体３を基材２に固定させた本願発明器具１の末端付近に、画鋲を刺し込んだ側面図である。
【００７８】
図２１では、磁石体３の中心が空洞になっており、基材２の反対側から軸１６の末端を貫通させ、前記磁石体３の穴に差し込むことで、磁石体３は基材２の一方面に固定される。更に前記軸の先端には突起物１７が備えられている。前記突起物１７に図２０で示す空洞状の嵌めこみ部分１９を嵌めこむことで、ユニバーサルジョイントが完成する。
【００７９】
図２０や図２１においては、本願発明器具１に突起物１７を備えているが、突起物１７ではなく、空洞状の嵌め込み部分１９を備えさせ、特別機能体１５に突起物１７を備えた場合であっても、回転させる機能（ユニバーサルジョイント）が実現できることは言うまでもない。
【００８０】
又、軸１６の先端に突起物１７を備えなくても、軸１６を筒状にした場合や、軸１６を貫通後に、筒状の部品（筒体１８）を嵌めこんで磁石体３を固定した場合においても、図１９で示すように、筒状の部材に刺し込まれた特別機能体１５が回転移動する事は可能となる。
【００８１】
もちろん、裏面に軸１６を備えさせた磁石体３を作成して、これを基材２に貫通させて反対側に、筒状の部品や、筒状の穴を備えた、特別機能体１５（この場合はキャラクターグッズ）を刺し込むことで、磁石体３の基材２への固定と同時に、特別機能体１５を基材２に備えさせることが可能となる。
【００８２】
このように、前記基材２が特別機能体１５を備え持つ事を特徴とする本願発明器具１を作成する際に、実施例９で述べた手段を用いる事で、製造が簡素化される。
【００８３】
繰り返しになるが、実施例９で述べた手段とは、前記基材２に固定させる場合の手段について、貼り付けによる固定ではない技法について述べたことである。
【００８４】
以上述べたような構造による効果に加え、図１、図２を見ていただければわかるように、本願発明器具１は、安価な材料を用いて単純な製造工程を用いて作成するという事を、その構成に備えている。
【符号の説明】
【００８５】
１    本願発明器具
２    基材
３    磁石体  
４    折り返し部
５    画鋲頭部      
６    画鋲針部
７    掲示板
８    掲示物
９    スリット部分
１０  クリップ
１１  Ｃ字状スリット
１２  吸盤
１３  両面テープ保持プレート（両面テープを貼れるプレート）
１４  特別機能体（プラスチックプレート又は紙片等）
１５  特別機能体（マスコット又はキャラクター等）
１６  軸
１７  突起物
１８  筒体（筒状の弾性体）
１９  空洞状の嵌め込み部分
【要約】
【課題】
本願発明器具願発明は画鋲を使って、大切な掲示物を傷めることなく、掲示板に固定することができる画鋲補助具を提供することを第一の課題とする。又、製造することが簡単で単純な構造により製造コストが安価である画鋲補助具の提供を第二の課題とする。更に、掲示した掲示物が、掲示器具により美観を損ねない事を第三の課題とする。
【解決手段】
可撓性を有し、且つ、画鋲の貫通が可能である基材が磁石体を備えることを特徴とする画鋲補助具を作成する。
【選択図】図１【図１】
0005612785.tif 000002
【図２】
0005612785.tif 000003
【図３】
0005612785.tif 000004
【図４】
0005612785.tif 000005
【図５】
0005612785.tif 000006
【図６】
0005612785.tif 000007
【図７】
0005612785.tif 000008
【図８】
0005612785.tif 000009
【図９】
0005612785.tif 000010
【図１０】
0005612785.tif 000011
【図１１】
0005612785.tif 000012
【図１２】
0005612785.tif 000013
【図１３】
0005612785.tif 000014
【図１４】
0005612785.tif 000015
【図１５】
0005612785.tif 000016
【図１６】
0005612785.tif 000017
【図１７】
0005612785.tif 000018
【図１８】
0005612785.tif 000019
【図１９】
0005612785.tif 000020
【図２０】
0005612785.tif 000021
【図２１】
0005612785.tif 000022